(57)【要約】【課題】収納の容易さと取り扱い性に優れた投影スクリーンを簡単な構成で安価に実現する投影スクリーンの提供。【解決手段】投影スクリーンは、マグネットシートと、マグネットシートの光学像を投影する側の面に形成され、光学像を反射する反射層と、マグネットシートの一辺に取り付けられる軸と、軸が取り付けられるマグネットシートの一辺と対向する他辺における、反射層と同一の面に設けられ、軸を中心として、且つ反射層を内側にしてマグネットシートを巻き取る場合に、軸に既に巻き取られているマグネットシートの外側に磁力で吸着することによって、マグネットシートを軸に巻き取られた状態で固定する巻取固定部とを備える。【選択図】図３
2006171563.tif 000002
【特許請求の範囲】
【請求項１】
磁力により壁面に吸着して取り付けられる可撓性の投影スクリーンであって、
マグネットシートと、
前記マグネットシートの光学像を投影する側の面に形成され、前記光学像を反射する反射層と、
前記マグネットシートの一辺に取り付けられる軸と、
前記軸が取り付けられる前記マグネットシートの前記一辺と対向する他辺における、前記反射層と同一の面に設けられ、前記軸を中心として、且つ前記反射層を内側にして前記マグネットシートを巻き取る場合に、前記軸に既に巻き取られている前記マグネットシートの外側に磁力で吸着することによって、前記マグネットシートを前記軸に巻き取られた状態で固定する巻取固定部と
を備える投影スクリーン。
【請求項２】
前記マグネットシートは両面が磁化されており、
前記巻取固定部は、前記軸が取り付けられる前記マグネットシートの前記一辺と対向する他辺において前記反射層よりも外側に延伸して設けられた前記マグネットシートの前記反射層側に露出している面で構成されている、請求項１に記載の投影スクリーン。
【請求項３】
前記巻取固定部は、前記マグネットシートとは別個に設けられ、前記マグネットシートの表面磁束密度よりも高い表面磁束密度を有する磁石である、請求項１に記載の投影スクリーン。
【請求項４】
前記軸の両端に設けられ、前記投影スクリーンを巻き取る場合における前記投影スクリーンの端部の位置を規制するフランジを更に有する、請求項１に記載の投影スクリーン。
【請求項５】
前記軸と前記フランジとは別個の部品として形成され、互いに組み合わせて構成されている、請求項４に記載の投影スクリーン。
【発明の詳細な説明】
【技術分野】
【０００１】
本発明は、投影スクリーンに関する。特に、本発明は磁力により壁面に吸着して取り付けられる可撓性の投影スクリーンに関する。
【背景技術】
【０００２】
従来、磁力により壁面に吸着して取り付けられる投影スクリーンが知られている。このような投影スクリーンの一例として、スクリーンの対向する２辺のそれぞれに柱状のフレームが設けられて、収納時には一方のフレームを軸としてスクリーンを巻き取り、他方のフレームに設けられた切り欠きに、軸となるフレームの端部から引き出される留め具を引っ掛けることにより、巻き取り後の形状を保持する構成が開示されている（例えば、特許文献１、及び特許文献２参照。）。
【特許文献１】特開２００２―３０８４号公報（段落００２１、図２、図４）
【特許文献２】特開２００２−２８４４５２号公報（段落００３７、図８、図１４）
【発明の開示】
【発明が解決しようとする課題】
【０００３】
しかしながら、上記従来の技術は、収納と展開が容易な投影スクリーンを実現する為に、コイルバネなどの弾性部材を備える複雑な構造が必要であるという課題があった。
【課題を解決するための手段】
【０００４】
上記課題を解決するために、本発明の第１の形態は、磁力により壁面に吸着して取り付けられる可撓性の投影スクリーンであって、マグネットシートと、マグネットシートの光学像を投影する側の面に形成され、光学像を反射する反射層と、マグネットシートの一辺に取り付けられる軸と、軸が取り付けられるマグネットシートの一辺と対向する他辺における、反射層と同一の面に設けられ、軸を中心として、且つ反射層を内側にしてマグネットシートを巻き取る場合に、軸に既に巻き取られているマグネットシートの外側に磁力で吸着することによって、マグネットシートを軸に巻き取られた状態で固定する巻取固定部とを備える投影スクリーンを実現する。これにより、収納の容易さと取り扱い性に優れた投影スクリーンを簡単な構成で安価に実現することができる。
【０００５】
上記の投影スクリーンにおいて、マグネットシートは両面が磁化されており、巻取固定部は、軸が取り付けられるマグネットシートの一辺と対向する他辺において反射層よりも外側に延伸して設けられたマグネットシートの反射層側に露出している面で構成されていてもよい。これにより、巻取固定部に専用の部材を用いないので、投影スクリーンの低コスト化が実現できる。
【０００６】
上記の投影スクリーンにおいて、巻取固定部は、マグネットシートとは別個に設けられ、マグネットシートの表面磁束密度よりも高い表面磁束密度を有する磁石であってもよい。これにより、投影スクリーンを巻き取った状態での固定の安定性が向上する。また、マグネットシートの一部を露出させて巻取固定部にする場合よりも巻取固定部の面積が小さくて済む。従って、投影スクリーンに占める反射シートの割合を高めることができる。
【０００７】
上記の投影スクリーンは、軸の両端に設けられ、投影スクリーンを巻き取る場合における投影スクリーンの端部の位置を規制するフランジを更に有してもよい。これにより、投影スクリーンを巻き取る場合に投影スクリーンの両端を容易に揃えることができる。
【０００８】
上記の投影スクリーンにおいて、軸とフランジとは別個の部品として形成され、互いに組み合わせて構成されていてもよい。これにより、軸及びフランジを一体に形成する場合よりも、生産工程が簡素化され、全体として生産の低コスト化が実現される。
【０００９】
なお、上記の発明の概要は、本発明の必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１１】
図１及び図２は、本実施形態の第１実施例に係る投影スクリーン１００の構成を示す。図１は、投影スクリーン１００を展開した場合の平面図を、図２は、図１の投影スクリーン１００の側面図を示す。また、図３は、本実施例の投影スクリーン１００を巻取軸３０に巻き取っている状態を示す図である。本実施形態の投影スクリーン１００は、鉄等の強磁性体で構成された壁面に、磁力により吸着して保持される可撓性の投影スクリーンである。投影スクリーン１００は、巻取軸３０に巻き取ることによりコンパクトに収納することができる。以下、投影スクリーン１００を図１に示すように展開した状態した状態において、光学像を投影する面を投影スクリーン１００の投影面と呼び、当該投影面と反対側の面を投影スクリーン１００裏面と呼ぶ。
【００１２】
投影スクリーン１００は、展開した状態において長方形等の矩形をなす。投影スクリーン１００は、片面マグネットシート２０、反射シート１０、巻取軸３０、フランジ６０、引出側フレーム５０、及び硬質磁石４０を備える。片面マグネットシート２０は、ゴム又は樹脂にフェライト磁石等の磁石の粉体を混ぜて固めた可撓性を有するシート状の磁石であり、投影スクリーン１００の裏面に設けられる。片面マグネットシート２０は、壁面に取り付けられる側の片面においてＮ極及びＳ極を交互に繰り返し有する。すなわち片面マグネットシート２０の磁化パターンは、壁面側が磁化されている片面多極着磁である。片面マグネットシート２０は、長手方向の両側に反射シート１０よりも延伸して設けられている。
【００１３】
反射シート１０は、片面マグネットシート２０の投影面側に設けられる。反射シート１０は反射層の一例であり、液晶プロジェクタなどの光学エンジンから光学像を投影する投影面を構成する。反射シート１０は、例えば投影された光学像を拡散反射するようにマット処理された白色の樹脂フィルムである。あるいは、反射シート１０は、投影スクリーン１００の前方下方又は前方上方から投影される光学像を、投影スクリーン１００の正面に向けて効率よく反射するべく水平方向に伸びる微細な鋸歯状凹凸を多数有する反射シートであってもよい。反射シート１０は、片面マグネットシート２０に対して粘着シート又は接着剤で貼り付けられている。あるいは、反射シート１０に代えて、片面マグネットシート２０の投影面側に白色樹脂を塗布することにより、反射層を形成してもよい。
【００１４】
巻取軸３０は、反射シート１０より延伸した片面マグネットシート２０の一辺に取り付けられる。巻取軸３０は、本発明の軸の一例である。投影スクリーン１００は、図３に示すように、巻取軸３０を中心として反射シート１０及び片面マグネットシート２０を巻き取ることによって、コンパクトに収納することができる。この場合、反射シート１０を内側に、片面マグネットシート２０を外側に向けて巻取軸３０を巻き取る。
【００１５】
引出側フレーム５０及び硬質磁石４０は、片面マグネットシート２０を巻取軸３０に巻き取る場合に最後に巻き取られる辺、即ち巻取軸３０と対向する辺の、反射シート１０と同一の面に設けられている。例えば、巻取軸３０と対向する辺において反射シート１０よりも延伸して設けられた片面マグネットシート２０の縁端部において、反射シート１０と同一の面に取り付けられる。引出側フレーム５０は、樹脂製または金属製の柱状部材であり、片面マグネットシート２０の巻取軸３０と反対側の短辺に固定されている。引出側フレーム５０は、片面マグネットシート２０の端部の形状を直線状に保持することによって、投影スクリーン１００を壁面に設置する場合、及び収納する場合における投影スクリーン１００の取り扱い性を向上する。反射シート１０は、引出側フレーム５０の側面まで設けられていてもよい。
【００１６】
引出側フレーム５０の上面、すなわち片面マグネットシート２０と反対側の面には、硬質磁石４０が設けられている。本実施例の硬質磁石４０は、引出側フレーム５０上の複数の箇所に設けられている。引出側フレーム５０は、硬質磁石４０の外形とほぼ同一の窪みを有し、当該窪みに硬質磁石４０を保持してもよい。この場合、引出側フレーム５０の上面と硬質磁石４０の上面はほぼ面一に設けることが望ましい。硬質磁石４０の上面は、投影スクリーン１００を収納する場合に、巻取軸３０に巻き取られて外側を向いている片面マグネットシート２０の裏面に磁力で吸着することによって、投影スクリーン１００を巻取軸３０に巻き取られた状態で固定する。硬質磁石４０は、本発明の巻取固定部の一例である。本実施例によれば、収納の容易さと取り扱い性に優れた投影スクリーン１００を簡単な構成で実現することができる。
【００１７】
硬質磁石４０の磁力は、投影スクリーン１００を巻取軸３０に巻き取る場合に、反射シート１０及び片面マグネットシート２０が平坦に戻ろうとする反発力に抗して、片面マグネットシート２０の端部を巻取軸３０に既に巻き取られている片面マグネットシート２０の外側に確実に吸着させるだけの磁力を有する。硬質磁石４０は、例えばフェライト磁石、アルニコ磁石、及び希土類磁石等から、投影スクリーン１００を巻取軸３０に巻き取られた状態で固定する吸着力を有している磁石を用いる。
【００１８】
本実施例の硬質磁石４０は、片面マグネットシート２０とは別個に設けられ、片面マグネットシート２０の表面磁束密度よりも高い表面磁束密度を有する。これにより、硬質磁石４０は、投影スクリーン１００を巻き取る場合に、より狭い幅で片面マグネットシート２０の端部を安定して固定することができる。従って、片面マグネットシート２０の投影面側における反射シート１０の面積の割合を高めることができる。尚、上記の例では、片面マグネットシート２０は、長手方向の両側に反射シート１０よりも延伸して設けられていた。しかしながら、片面マグネットシート２０及び反射シート１０は長手方向に同一の寸法で形成れていてもよい。この場合、巻取軸３０と対向する辺において、片面マグネットシート２０、反射シート１０、引出側フレーム５０、及び硬質磁石４０は投影スクリーン１００の裏面側からこの順で積層される。各層を固定する手段は、接着剤又は粘着シートである。
【００１９】
フランジ６０は、反射シート１０及び片面マグネットシート２０を巻取軸３０に巻き取る場合における投影スクリーン１００の両端の位置を規制する。これにより、投影スクリーン１００を収納する場合に反射シート１０及び片面マグネットシート２０の両端を容易に揃えることができる。フランジ６０は、反射シート１０及び片面マグネットシート２０を巻取軸３０に完全に巻き取った状態で、巻き取られた片面マグネットシート２０の外周よりも一回り大きい直径を有する。これにより、投影スクリーン１００の両端を確実に揃えることが出来る。
【００２０】
図４及び図５は、投影スクリーン１００から巻取軸３０を取り外した状態を示す図である。巻取軸３０は、投影スクリーン１００を使用する場合等に片面マグネットシート２０の端部から取り外すことができる。片面マグネットシート２０の巻取軸３０に取り付けられる側の端部には、軸側フレーム５２が設けられている。軸側フレーム５２は、樹脂製または金属製の柱状部材であり、片面マグネットシート２０の巻取軸３０に取り付けられる側の一辺の全体に取り付けられている。軸側フレーム５２は、片面マグネットシート２０の端部の形状を直線状に保持することによって、巻取軸３０を取り外した状態における投影スクリーン１００の取り扱い性を向上する。
【００２１】
巻取軸３０の側面には、軸側フレーム５２が取り付けられている片面マグネットシート２０を挿入可能な大きさのスリット７０が形成されている。巻取軸３０を投影スクリーン１００に取り付ける場合には、軸側フレーム５２をスリット７０に挿入する。尚、投影スクリーン１００は、巻取軸３０を取り付けている状態であっても、強磁性体で構成された壁面に吸着させて使用することができる。
【００２２】
図６は、巻取固定部の他の実施例を示す断面図である。当該断面の位置は、図２に示した投影スクリーン１００の断面図における左端部に相当する。本実施例の巻取固定部は、片面マグネットシート２０、反射シート１０、及び磁性体２４を投影スクリーン１００の裏面側からこの順で積層して形成される。片面マグネットシート２０、反射シート１０、及び磁性体２４は、接着層８０により互いに接着されている。他の実施例として、接着層８０に代えて粘着シートを用いてもよい。磁性体２４は、投影スクリーン１００の投影面側、即ち本図の向きにおける上側が磁化されており、片面マグネットシート２０及び反射シート１０を巻取軸３０に巻き取る場合に、既に巻取軸３０に巻き取られている片面マグネットシート２０の裏面に吸着することによって、投影スクリーン１００を巻取軸３０に巻き取られた状態で固定する。他の実施例として、磁性体２４は、予め磁化されていない強磁性体であってもよい。例えば、磁性体２４として、予め磁化されていないスチール板を用いてもよい。この場合であっても、磁性体２４は、片面マグネットシート２０及び反射シート１０を巻取軸３０に巻き取る場合に、既に巻取軸３０に巻き取られている片面マグネットシート２０の裏面に吸着することによって、投影スクリーン１００を巻取軸３０に巻き取られた状態で固定する。
【００２３】
反射シート１０は、基材１２及び複数のプリズム１４を有してもよい。複数のプリズム１４は、基材１２の投影面側に形成される複数の鋸歯状の反射面である。本実施例において複数のプリズム１４は、その稜線を投影スクリーン１００の使用状態における水平方向に向けて隙間無く配列されている。プリズム１４は、投影スクリーン１００の前方下方又は前方上方から投影される光学像を、投影スクリーン１００の正面に向けて効率よく反射する。磁性体２４の上面の高さは、プリズム１４の上面の高さと同等もしくはそれ以上であることが望ましい。これにより、片面マグネットシート２０及び反射シート１０を巻取軸３０に巻き取る場合に、磁性体２４の上面が片面マグネットシート２０の裏面に確実に吸着される。さらに、磁性体２４と片面マグネットシート２０との吸着力により、プリズム１４の先端が潰れることが防止される。各層の厚さの例は、片面マグネットシート２０及び磁性体２４が３００μｍ程度、基材１２が１２５μｍ程度、プリズム１４が３２５μｍ程度、接着層８０が２５μｍ程度である。このような厚さの例では、磁性体２４とプリズム１４の上面は同一の高さになる。
【００２４】
図７及び図８は、本実施形態の第２実施例に係る投影スクリーン１０２の構成を示す図である。図７は、投影スクリーン１０２の平面図を示す。図８は、投影スクリーン１０２を巻取軸３０に巻き取っている状態を示す。投影スクリーン１０２は、投影スクリーン１００の片面マグネットシート２０に代えて、両面マグネットシート２２を備える。両面マグネットシート２２は両面が磁化されている。例えば、両面マグネットシート２２の磁化パターンは、両面マグネットシート２２の両面においてＮ極及びＳ極を交互に繰り返し有する両面多極着磁である。あるいは、両面マグネットシート２２は、２枚の片面マグネットシート２０の磁化された面を互いに外側に向けて貼り合わせることにより構成されていてもよい。本発明の巻取固定部は、第１実施例の投影スクリーン１００において、硬質磁石４０及び引出側フレーム５０により構成されていた。これに対して、本実施例の巻取固定部は、両面マグネットシート２２の巻取軸３０が取り付けられる一辺と対向する他辺において、反射シート１０よりも外側に延伸し、投影面側に露出している両面マグネットシート２２で構成されている。他の構成は、第１実施例の投影スクリーン１００と同様なので説明を省略する。
【００２５】
反射シート１０を内側にして反射シート１０及び両面マグネットシート２２を巻取軸３０に巻き取る場合、両面マグネットシート２２の延伸部分の投影面は、巻取軸３０に巻き取られて外側を向いている両面マグネットシート２２の裏面に磁力で吸着することによって、投影スクリーン１０２を巻取軸３０に巻き取られた状態で固定する。両面マグネットシート２２の延伸部分の面積は、反射シート１０及び両面マグネットシート２２が平坦に戻ろうとする反発力に抗して、巻取軸３０に既に巻き取られている両面マグネットシート２２の外側に確実に吸着するだけの面積を有する。本実施例によれば、巻取固定部に専用の部材を用いないので、第１実施例の投影スクリーン１００よりも組み立てが容易な投影スクリーン１０２を実現できる。
【００２６】
図９は、巻取軸３０及びフランジ６０の拡大断面図である。本図に示すように、巻取軸３０とフランジ６０とは別個の部品として形成されて組み立てられている。巻取軸３０は、例えば筒状の部材である。フランジ６０は、嵌め込み部６２とつば部６４とを有する。嵌め込み部６２は、筒状の巻取軸３０の端部に嵌め込まれて固定される。嵌め込み部６２は、巻取軸３０の端部に圧入によって固定されていてもよいし、接着又は溶着によって固定されていてもよい。つば部６４は、嵌め込み部６２から巻取軸３０の両端に突出し、巻取軸３０の半径方向に巻取軸３０よりも突出して形成される。このように、巻取軸３０とフランジ６０とを別個の部品として構成する場合、巻取軸３０及びフランジ６０を一体で射出成形する大型の金型を製作する必要がない。また、筒状の巻取軸３０は、樹脂の押し出し成形等により安価に生産することができる。この場合、スリット７０は、切削加工により形成する。フランジ６０は、巻取軸３０及びフランジ６０を一体成形する金型よりも大幅に小型の金型を用いて安価に成形することができる。従って、巻取軸３０とフランジ６０とを別個の部品として構成することにより、生産の低コスト化を図ることができる。
【００２７】
以上の説明から明らかなように、本実施形態によれば、収納の容易さと取り扱い性に優れた投影スクリーン１００を簡単な構成で安価に実現することができる。
【００２８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２９】
【図１】投影スクリーン１００の平面図を示す。
【図２】投影スクリーン１００の側面図である。
【図３】投影スクリーン１００を巻取軸３０に巻き取っている状態を示す図である。
【図４】投影スクリーン１００から巻取軸３０を取り外した状態を示す図である。
【図５】投影スクリーン１００から取り外された巻取軸３０を示す図である。
【図６】巻取固定部の他の実施例を示す断面図である。
【図７】投影スクリーン１０２の平面図を示す。
【図８】投影スクリーン１０２を巻取軸３０に巻き取っている状態を示す図である。
【図９】巻取軸３０及びフランジ６０の拡大断面図である。
【符号の説明】
【００３０】
１０  反射シート、１２  基材、１４  プリズム、２０  片面マグネットシート、２２  両面マグネットシート、２４  磁性体、３０  巻取軸、４０  硬質磁石、５０  引出側フレーム、５２  軸側フレーム、６０  フランジ、６２  嵌め込み部、６４  つば部、７０  スリット、８０  接着層、１００、１０２  投影スクリーン
【図１】
2006171563.tif 000003
【図２】
2006171563.tif 000004
【図３】
2006171563.tif 000005
【図４】
2006171563.tif 000006
【図５】
2006171563.tif 000007
【図６】
2006171563.tif 000008
【図７】
2006171563.tif 000009
【図８】
2006171563.tif 000010
【図９】
2006171563.tif 000011